(57)【特許請求の範囲】
【請求項１】
光軸方向を有するレンズ鏡筒であって、
第１レンズ群を保持する１群ユニットと、
前記１群ユニットと結合され、且つ第１のフォロア部を有すると共に前記光軸方向に移動する第１カム部材と、
前記第１のフォロア部に係合するカム溝を有する直進筒と、
前記第１カム部材と結合され、前記光軸方向に移動する第２カム部材と、
第２のフォロア部を有すると共に第２レンズ群を保持する２群ユニットと、
前記２群ユニットの前記第２のフォロア部と結合され、前記光軸方向に移動する第３カム部材とを備え、
前記第３カム部材は、前記第１カム部材と結合され、前記第３カム部材の回転により前記第１カム部材が回転し、
前記第３カム部材は、前記第２カム部材と互いに回転可能に結合され、
前記第３カム部材の回転により前記第２カム部材と前記第３カム部材は一体的に前記光軸方向に移動し、
前記第１カム部材は、前記レンズ鏡筒像面側の端部に第１の切り欠き部を有すると共に、前記直進筒は、前記レンズ鏡筒像面側の端部に第２の切り欠き部を有し、
前記第１の切り欠き部は、前記第１のフォロア部を避けた位置に設けられ、
前記第１の切り欠き部及び前記第２の切り欠き部は、前記レンズ鏡筒がテレ位置にあるときに前記光軸方向に関して重なるように配置され、
前記第２のフォロア部は、前記レンズ鏡筒がテレ位置にあるときに、前記第１の切り欠き部及び前記第２の切り欠き部に位置することを特徴とするレンズ鏡筒。
【請求項２】
請求項１記載のレンズ鏡筒を有することを特徴とする撮像装置。
【発明の詳細な説明】
【技術分野】
【０００１】
本発明は、光軸方向に繰り出してズーム動作が可能なレンズ鏡筒及び該レンズ鏡筒を備える撮像装置に関する。
【背景技術】
【０００２】
従来のこの種のズームレンズ鏡筒は、ワイド状態のときに、物体側の１群レンズが光軸方向に大きく繰り出すことで、１群レンズと該１群レンズよりも像面側の２群レンズとの光軸方向の間隔が広くなる。また、ワイド状態からテレ状態にズーミングすると、２群レンズがワイド位置よりも物体側に大きく繰り出すことで、１群レンズ及び２群レンズの光軸方向の間隔が狭くなる。
【０００３】
従来、テレ状態での１群レンズ及び２群レンズの光軸方向の間隔を狭くして高倍率化を実現したレンズ鏡筒として、１群レンズ及び２群レンズを光軸方向に駆動する第１〜第３のカム部材を備えるものがある（特許文献１）。
【０００４】
第１のカム部材には、１群レンズを保持する第１の保持部材を光軸方向に駆動する第１のカム部が形成されている。第２のカム部材には、第１のカム部材を光軸方向に駆動する第２のカム部が形成されている。
【０００５】
第１のカム部及び第２のカム部は、テレ端とワイド端のうち一方から他方への全域ズーム動作において、第１の保持部材を光軸方向の一方の側に向かって凸となる軌跡を描くように駆動する形状を有する。
【０００６】
第３のカム部材は、２群レンズを保持する第２の保持部材を光軸方向に駆動する第３のカム部が形成されており、第３のカム部には、第２の保持部材のカムフォロア部が係合している。
【０００７】
そして、１群レンズは、固定筒のカム部、第２のカム部材の第２のカム部及び第１のカム部材の第１のカム部の軌跡の合成により、沈胴位置からワイド位置へ大きく繰り出すようになっている。
【先行技術文献】
【特許文献】
【０００８】
【特許文献１】特開２００５−１７３４１２号公報（図３）
【発明の概要】
【発明が解決しようとする課題】
【０００９】
ところで、撮影倍率の更なる高倍率化を実現するためには、テレ状態での１群レンズ及び２群レンズの光軸方向の間隔をより狭くする必要がある。
【００１０】
しかし、上記特許文献１では、２群レンズを保持する第２の保持部材のカムフォロア部の物体側に、リング部材、ガイド部材及び第１のカム部材が配置されている。従って、第２の保持部材をさらに物体側へ移動させて、１群レンズ及び２群レンズの光軸方向の間隔を更に狭くすることは困難である。
【００１１】
そこで、本発明は、テレ位置での１群ユニット及び２群ユニットの光軸方向の間隔をより狭くして、更なる高倍率化を実現することができるレンズ鏡筒及び撮像装置を提供することを目的とする。
【課題を解決するための手段】
【００１２】
上記目的を達成するために、本発明のレンズ鏡筒は、光軸方向を有するレンズ鏡筒であって、第１レンズ群を保持する１群ユニットと、前記１群ユニットと結合され、且つ第１のフォロア部を有すると共に前記光軸方向に移動する第１カム部材と、前記第１のフォロア部に係合するカム溝を有する直進筒と、前記第１カム部材と結合され、前記光軸方向に移動する第２カム部材と、第２のフォロア部を有すると共に第２レンズ群を保持する２群ユニットと、前記２群ユニットの前記第２のフォロア部と結合され、前記光軸方向に移動する第３カム部材とを備え、前記第３カム部材は、前記第１カム部材と結合され、前記第３カム部材の回転により前記第１カム部材が回転し、前記第３カム部材は、前記第２カム部材と互いに回転可能に結合され、前記第３カム部材の回転により前記第２カム部材と前記第３カム部材は一体的に前記光軸方向に移動し、前記第１カム部材は、前記レンズ鏡筒像面側の端部に第１の切り欠き部を有すると共に、前記直進筒は、前記レンズ鏡筒像面側の端部に第２の切り欠き部を有し、前記第１の切り欠き部は、前記第１のフォロア部を避けた位置に設けられ、前記第１の切り欠き部及び前記第２の切り欠き部は、前記レンズ鏡筒がテレ位置にあるときに前記光軸方向に関して重なるように配置され、前記第２のフォロア部は、前記レンズ鏡筒がテレ位置にあるときに、前記第１の切り欠き部及び前記第２の切り欠き部に位置することを特徴とする。
【発明の効果】
【００１３】
本発明によれば、テレ位置での１群ユニット及び２群ユニットの光軸方向の間隔をより狭くして、更なる高倍率化を実現することができる。
【図面の簡単な説明】
【００１４】
【図１】本発明の実施形態の一例であるズームレンズ鏡筒を説明するための分解斜視図である。
【図２】１群ユニット及び第１移動カムユニットの分解斜視図である。
【図３】１群ユニット及び第１移動カムユニットの分解斜視図である。
【図４】第１移動カムユニットを構成する第１カム筒の展開図である。
【図５】２群ユニットの分解斜視図である。
【図６】２群ユニットの分解斜視図である。
【図７】レンズ鏡筒の収納位置での断面図である。
【図８】図７と異なる位相におけるレンズ鏡筒の収納位置での断面図である。
【図９】第２移動カムユニットの分解斜視図である。
【図１０】（ａ）は第２カム筒の内周面の展開図、（ｂ）は第２カム筒の外周面の展開図である。
【図１１】第３カム筒の内周面の展開図である。
【図１２】レンズ鏡筒のワイド位置での断面図である。
【図１３】レンズ鏡筒のテレ位置での断面図である。
【図１４】固定筒の内周面の展開図である。
【図１５】３群ユニット及びベースユニットの分解斜視図である。
【図１６】レンズ鏡筒の収納位置での断面図である。
【図１７】２群ユニットを構成する絞り・シャッタユニットの分解斜視図である。
【図１８】２群ユニットを構成する絞り・シャッタユニットの分解斜視図である。
【図１９】２群ユニットを構成する２群レンズ保持部材及びカバー部材を示す斜視図である。
【図２０】２群ユニットを表側又は裏側から見た斜視図である。
【図２１】２群ユニットを表側又は裏側から見た斜視図である。
【発明を実施するための形態】
【００１５】
以下、本発明の実施形態の一例を図面を参照して説明する。
【００１６】
図１は、本発明の実施形態の一例であるズームレンズ鏡筒を説明するための分解斜視図である。なお、本実施形態では、デジタルカメラ等の撮像装置に設けられるズームレンズ鏡筒を例に採る。
【００１７】
図１に示すように、本実施形態のレンズ鏡筒は、１群ユニット１００、２群ユニット２０００、第１移動カムユニット３００、第２移動カムユニット４００、固定筒５００、３群ユニット６００、及びベースユニット７００を備える。
【００１８】
図２及び図３は１群ユニット１００及び第１移動カムユニット３００の分解斜視図、図４は第１移動カムユニット３００を構成する第１カム筒３０１の展開図である。
【００１９】
図２及び図３に示すように、１群ユニット１００は、１群筒１０２に第１レンズ群１０１が保持されており、１群筒１０２の外周部には、主カムフォロア１０２ａ及び副カムフォロア１０２ｂが周方向にそれぞれ３箇所ずつ設けられている。また、１群筒１０２の内周部には、直進凸部１０２ｃが周方向に３箇所設けられている。１群筒１０２の前端部には、第１レンズ群１０１を保護するカバー部材１０３が取り付けられる。
【００２０】
第１移動カムユニット３００は、第１カム部材の一例である第１カム筒３０１及び直進筒３０２を備える。
【００２１】
第１カム筒３０１の外周部には、カムフォロア３０１ａ及び駆動ピン３０１ｂが周方向にそれぞれ３箇所ずつ設けられている。第１カム筒３０１の内周部には、１群筒１０２の主カムフォロア１０２ａ及び副カムフォロア１０２ｂにそれぞれ対応する主カム溝３０１ｃ及び副カム溝３０１ｄが設けられている。
【００２２】
主カム溝３０１ｃ及び副カム溝３０１ｄは、同一のカム軌跡とされており、主カムフォロア１０２ａと主カム溝３０１ｃとは当接して係合し、副カムフォロア１０２ｂと副カム溝３０１ｄとの間には隙間が設けられる。また、第１カム筒３０１の内周部には、凹部３０１ｅが周方向に３箇所設けられている。更に、第１カム筒３０１の像面側の端部には、切り欠き部３０１ｆが周方向に３箇所設けられている。切り欠き部３０１ｆは、主カム溝３０１ｃ及び副カム溝３０１ｄを避ける位置に配置される。
【００２３】
直進筒３０２には、１群筒１０２の直進凸部１０２ｃと係合する直進凹部３０２ａが周方向に３箇所に設けられている。また、直進筒３０２には、凸部３０２ｂ及び直進キー部３０２ｃがそれぞれ周方向に３箇所設けられている。凸部３０２ｂは、第１カム筒３０１の凹部３０１ｅに係合して、光軸方向の移動が規制された状態で互いに回転可能に結合される。また、直進筒３０２には、切り欠き部３０２ｄが第１カム筒３０１の回転角分だけ周方向に３箇所設けられている。切り欠き部３０２ｄは、第１カム筒３０１の切り欠き部３０１ｆに対して光軸方向に重なる位置に配置される。
【００２４】
図５及び図６は２群ユニット２０００の分解斜視図、図７はレンズ鏡筒の収納位置での断面図、図８は図７と異なる位相におけるレンズ鏡筒の収納位置での断面図である。
【００２５】
図５及び図６に示すように、２群ユニット２０００は、カバー部材２０５、第２レンズ群２０１、及び絞り・シャッタユニット２１００を備える。第２レンズ群２０１は、後述する２群レンズ保持部材２０２に保持されている。
【００２６】
絞り・シャッタユニット２１００は、２群ベース部材２１０１を備え、２群ベース部材２１０１の外周部には、フォロア基部２１０１ｃが周方向の２箇所配置されている。フォロア基部２１０１ｃの先端には、直進ガイド部２１０１ｂ及びフォロア部２１０１ａが設けられている。
【００２７】
また、２群ベース部材２１０１の外周部には、１箇所の穴部２１０１ｄが設けられており、穴部２１０１ｄには、抜け止め穴２１０１ｅ（図７参照）が同軸に設けられている。また、穴部２１０１ｄには、バネ部材２１０２が組み込まれている。２箇所のフォロア基部２１０１ｃと１箇所の穴部２１０１ｄは、２群ベース部材２１０１の外周部に周方向に１２０°離間して配置されている。
【００２８】
２群ベース部材２１０１の穴部２１０１ｄには、可動フォロア部材２１０３がバネ部材２１０２の付勢力に抗して組み込まれる。可動フォロア部材２１０３の後端部は、フォロア部２１０３ａとなっている。また、可動フォロア部材２１０３の外周部は、直進ガイド部２１０３ｂとされ、直進ガイド部２１０３ｂは、２群ベース部材２１０１の２箇所の直進ガイド部２１０１ｂと同径となっている。
【００２９】
また、可動フォロア部材２１０３の先端部２１０３ｃの外径寸法は、２群ベース部材２１０１の穴部２１０１ｄと同軸に形成された抜け止め穴部２１０１ｅの外径寸法より若干大径とされている。従って、可動フォロア部材２１０３を穴部２１０１ｄにバネ部材２１０２の付勢力に抗して組み込んで、可動フォロア部材２１０３の先端部２１０３ｃを抜け止め穴部２１０１ｅに嵌め込むことで、可動フォロア部材２１０３の抜け止めがなされる（図７参照）。
【００３０】
また、２群ベース部材２１０１には、後述するベースユニット７００のベース部材７０１に取り付けられたバネ部材７０２と当接可能な受け面２１０１ｆが周方向に３箇所設けられている。更に、２群ベース部材２１０１には、ベース部材７０１に設けられたガイド軸７０１ｄに摺動嵌合するガイド穴２１０１ｇが設けられている（図８参照）。その他の２群ユニット２０００の詳細は後述する。
【００３１】
図９は第２移動カムユニット４００の分解斜視図、図１０（ａ）は第２カム筒４０１の内周面の展開図、図１０（ｂ）は第２カム筒４０１の外周面の展開図である。
【００３２】
第２移動カムユニット４００は、第２カム部材の一例である第２カム筒４０１及び第３カム部材の一例である第３カム筒４０２を備える。
【００３３】
第２カム筒４０１の内周部には、第１カム筒３０１のカムフォロア３０１ａに係合するカム溝４０１ａと、直進筒３０２の凸部３０２ｂが貫通するカム孔４０１ｂとが周方向に３箇所設けられている。カム溝４０１ａ及びカム孔４０１ｂは、同一のカム軌跡とされている。また、第２カム筒４０１の内周部には、直進筒３０２の直進キー部３０２ｃに係合する直進溝４０１ｃが周方向に３箇所設けられている。
【００３４】
また、第２カム筒４０１には、２群ベース部材２１０１の直進ガイド部２１０１ｂ及び可動フォロア部材２１０３の直進ガイド部２１０３ｂがそれぞれ摺動可能に係合する直進溝４０１ｄがフランジ部４０１ｅを貫通して周方向に３箇所設けられている。直進溝４０１ｄのフランジ部４０１ｅの貫通部には、直進溝有底部４０１ｆが形成されている。
【００３５】
更に、第２カム筒４０１の外周部には、テーパピン部４０１ｇ、凸部４０１ｈ，４０１ｉ、及び直進キー部４０１ｊが周方向に３箇所設けられている。第２カム筒４０１の外周部に設けられた３箇所の凸部４０１ｉは、それぞれ光軸方向の位置が異なるように配置されている。
【００３６】
第３カム筒４０２の外周部には、カムフォロア４０２ａが周方向に３箇所設けられている。また、第３カム筒４０２の外周部には、ギア部４０２ｂが周方向に円弧状に延設されている。第３カム筒４０２の内周部には、２群ベース部材２１０１のフォロア部２１０１ａが係合するカム溝４０２ｃが周方向に２箇所設けられるとともに、可動フォロア部材２１０３のフォロア部２１０３ａが係合するカム溝４０２ｄが１箇所設けられている。
【００３７】
また、第３カム筒４０２の内周部には、第１カム筒３０１の駆動ピン３０１ｂが係合する直進溝４０２ｅがそれぞれ３箇所設けられている。更に、第３カム筒４０２の内周部には、第２カム筒４０１のテーパピン部４０１ｇ、凸部４０１ｈ，４０１ｉにそれぞれ係合する凹部４０２ｆ，４０２ｇ，４０２ｈがそれぞれ３箇所設けられている。これにより、第２カム筒４０１及び第３カム筒４０２は光軸方向の移動が規制され、互いに回転可能となっている。
【００３８】
図１１は第３カム筒４０２の内周面の展開図、図１２はレンズ鏡筒のワイド位置での断面図、図１３はレンズ鏡筒のテレ位置での断面図である。
【００３９】
図１１〜図１３を参照して、第３カム筒４０２における、２群ベース部材２１０１のフォロア部２１０１ａが係合するカム溝４０２ｃ、及び可動フォロア部材２１０３のフォロア部２１０３ａが係合するカム溝４０２ｄについて説明する。
【００４０】
図１１において、範囲（Ａ）は、レンズ鏡筒の収納位置からワイド位置までの範囲を示し、範囲（Ｂ）は、レンズ鏡筒のワイド位置からテレ位置までの範囲を示している。
【００４１】
第３カム筒４０２のカム溝４０２ｃ，４０２ｄは、同一のカム軌跡を有し、図１１中の範囲（Ｆ）、（Ｊ）では、同一の断面形状であり、フォロア部２１０１ａ，フォロア２１０３ａ部は、カム溝４０２ｃ，４０２ｄに係合した状態となっている。
【００４２】
このとき、可動フォロア部材２１０３は、バネ部材２１０２の付勢力により、カム溝４０２ｄからの反力を受け、フォロア部２１０１ａをカム溝４０２ｃに圧接させている（図１２，図１３参照）。
【００４３】
カム溝４０２ｃは、図１１中の範囲（Ｃ），（Ｄ），（Ｅ）で同一のカム深さであり、範囲（Ｃ）において、フォロア部２１０１ａが一方の面にのみ当接可能とするカム断面形状となっている。また、範囲（Ｆ）において、カム溝４０２ｃは、フォロア部２１０１ａの当接面側のみが形成されている。
【００４４】
また、カム溝４０２ｃは、範囲（Ｅ）では、フォロア部２１０１ａが他方のカム面にも係合するカム断面形状となっており、範囲（Ｄ）では、範囲（Ｃ）のカム断面形状から範囲（Ｅ）のカム断面形状へ徐々に変化するように形成されている。
【００４５】
カム溝４０２ｄは、図１１中の範囲（Ｇ）では、範囲（Ｉ）よりも深いカム深さが形成され、フォロア部２１０３ａが一方の面にのみ当接可能とする断面形状となっている（図７参照）。このとき、可動フォロア部材２１０３は、バネ部材２１０２の付勢力が抜け止め穴部２１０１ｅで規制され、カム溝４０２ｄからの反力を受けていない状態となる。
【００４６】
また、範囲（Ｊ）において、カム溝４０２ｄは、フォロア部２１０３ａの当接面側のみが形成されている。（Ｉ）では、カム溝４０２ｄは、フォロア部２１０３ａが他方のカム面にも係合するカム断面形状となっている。そして、範囲（Ｈ）では、カム溝４０２ｄは、範囲（Ｆ）のカム断面形状から範囲（Ｈ）のカム断面形状へ徐々に変化するように形成されている。
【００４７】
図１４は、固定筒５００の内周面の展開図である。
【００４８】
固定筒５００の内周部には、第３カム筒４０２のカムフォロア４０２ａと係合するカム溝５００ａ及び第２カム筒４０１の直進キー部４０１ｊが係合する直進溝５００ｂがそれぞれ周方向に３箇所設けられている。固定筒５００は、後述するベース部材７０１に取り付けられて固定される。
【００４９】
図１５は３群ユニット６００及びベースユニット７００の分解斜視図、図１６はレンズ鏡筒の収納位置での断面図である。
【００５０】
３群ユニット６００は、３群レンズ６０１を保持する３群レンズ保持部材６０２を備え、３群レンズ保持部材６０２には、主ガイド部６０２ａ、副ガイド部６０２ｂ、バネ掛け部６０２ｃ、受け部６０２ｄ及び貫通孔６０２ｅが設けられている。３群レンズ保持部材６０２の主ガイド部６０２ａには、ガイド部材６０３が嵌合され、バネ掛け部６０２ｃには、バネ部材６０６の端部が掛止される。
【００５１】
また、３群ユニット６００は、ステッピングモータ６０４を備え、ステッピングモータ６０４のスクリュー部６０４ａには、ナット部材６０５が螺合されている。
【００５２】
ベースユニット７００は、中央部にＣＣＤセンサ等の撮像素子７０５が固定されたベース部材７０１を備える。ベース部材７０１には、ガイド部材６０３が圧入されるガイド固定部７０１ａ，７０１ｂ及び副ガイド部６０２ｂを光軸方向へ摺動可能に係合させるためのガイド軸７０１ｃが設けられている。また、ベース部材７０１には、バネ部材６０６の端部が掛止されるバネ掛け部７０１ｄ、及び２群ベース部材２１０１のガイド穴２１０１ｇに摺動嵌合するガイド軸７０１ｅが設けられている。
【００５３】
ベース部材７０１の受け面７０１ｆには、バネ部材７０２が取り付けられる。また、ベース部材７０１には、第３カム筒４０２のギア部４０２ｂに噛合するギア部材７０３が取り付けられる。ギア部材７０３には、ギア部材７０４が噛合され、ギア部材７０４は、不図示の駆動源より回転駆動される。
【００５４】
図１７及び図１８は、２群ユニット２０００を構成する絞り・シャッタユニット２１００の分解斜視図である。
【００５５】
絞り・シャッタユニット２１００は、２群ベース部材２１０１を備え、２群ベース部材２１０１には、ボール受け部２１０１ｈ及び爪部２１０１ｊが周方向に３箇所設けられ、バネ掛け部２１０１ｉが周方向に２箇所設けられている。
【００５６】
また、絞り・シャッタユニット２１００は、コイル部材２１０４，２１０５を備えている。コイル部材２１０４，２１０５の端子２１０４ａ，２１０５ａは、２群ベース部材２１０１の貫通孔２１０１ｋ，２１０１ｌを貫通して該２群ベース部材２１０１に取り付けられる。
【００５７】
更に、絞り・シャッタユニット２１００は、ギア部材２１０７が取り付けられたステッピングモータ２１０６、シャッタ駆動ユニット２１０８、及びマグネットと一体のアーム２１０８ｂを備えている。シャッタ駆動ユニット２１０８には、２本のコイル端子２１０８ａが設けられており、端子部２１０８ａを物体側に向けて２群ベース部材２１０１に取り付けられる。
【００５８】
更に、絞り・シャッタユニット２１００は、不図示のカメラ本体と接続されるフレキシブル基板２１０９を備え、フレキシブル基板２１０９は、接着等により保持部材２１１０に保持される。また、フレキシブル基板２１０９には、ホール素子２１０９ａ，２１０９ｂが実装される。ホール素子２１０９ａ，２１０９ｂは、コイル部材２１０４，２１０５の端子２１０４ａ，２１０５ａと、シャッタ駆動ユニット２１０８の端子２１０８ａとにそれぞれ電気的に接続される。
【００５９】
更に、絞り・シャッタユニット２１００は、ギア部２１１１ａが設けられた絞りカム部材２１１１を備え、絞りカム部材２１１１は、光軸中心に回動可能に２群ベース部材２１０１に取り付けられる。絞りカム部材２１１１のギア部２１１１ａには、ギア部材２１１２が噛合し、また、ギア部材２１１２は、ステッピングモータ２１０６のギア部材２１０７に噛合する。
【００６０】
更に、絞り・シャッタユニット２１００は、３枚の絞り羽根２１１３を備え、絞り羽根２１１３には、穴部２１１３ａ及びカム孔２１１３ｂが設けられている。穴部２１１３ａは、２群ベース部材２１０１の軸部２１０１ｍに回動可能に嵌合される。
【００６１】
更に、絞り・シャッタユニット２１００は、絞りカバー部材２１１４を備え、絞りカバー部材２１１４には、カム軸部２１１４ａが３箇所設けられている。カム軸部２１１４ａは、絞り羽根２１１３が動作可能な光軸方向のスペースを確保した状態でカム部材２１１１の穴部２１１１ｂに圧入固定され、絞りカム部材２１１１と一体に回動する。このとき、カム孔２１１３ｂは、絞りカバー部材２１１４のカム軸部２１１４ａに摺動可能に嵌合している。
【００６２】
更に、絞り・シャッタユニット２１００は、中央部に開口部２１１５ａが形成されたプレート部材２１１５を備え、該プレート部材２１１５は、２群ベース部材２１０１に取り付けられる。
【００６３】
更に、絞り・シャッタユニット２１００は、シャッタ羽根２１１６，２１１７を備え、シャッタ羽根２１１６，２１１７には、それぞれ穴部２１１６ａ，２１１７ａ及び長穴２１１６ｂ，２１１７ｂが形成されている。穴部２１１６ａ，２１１７ａは、２群ベース部材２１０１の軸部２１０１ｎ，２１０１ｏに回動可能に嵌合される。長穴部２１１６ｂ，２１１７ｂは、シャッタ駆動ユニット２１０８のアーム部２１０８ｂに摺動可能に嵌合される。
【００６４】
更に、絞り・シャッタユニット２１００は、中央部に開口部２１１８ａを有するカバー部材２１１８を備え、カバー部材２１１８は、シャッタ羽根２１１６，２１１７が動作可能な光軸方向のスペースを確保した状態で２群ベース部材２１０１に取り付けられる。
【００６５】
図１９は、２群ユニット２０００を構成する２群レンズ保持部材２０２及びカバー部材２０５を示す斜視図である。
【００６６】
第２レンズ群２０１を保持する２群レンズ保持部材２０２には、マグネット部２０２ａ，２０２ｂ及びバネ掛け部２０２ｃが設けられている。マグネット部２０２ａ，２０２ｂは、それぞれコイル部材２１０４，２１０５に対向して配置されている。また、マグネット部２０２ａ，２０２ｂの磁界は，それぞれホール素子２１０９ａ，２１０９ｂによって検出される。ボール部材２０３は、２群ベース部材２１０１の３箇所のボール受け部２１０１ｈに組み込まれる。
【００６７】
バネ部材２０４は、２群レンズ保持部材２０２のバネ掛け部２０２ｃと２群ベース部材２１０１のバネ掛け部２１０１ｉに掛けられ、２群レンズ保持部材２０２の受け面２０２ｄとに挟まれた状態となる。カバー部材２０５には、穴部２０５ａが設けられ、穴部２０５ａは、爪部２１０１ｊと係合して取り付けられる。２群レンズ保持部材２０２及びカバー部材２０５を絞り・シャッタユニット２１００へ組み込むことで、２群ユニット２０００が構成される。
【００６８】
以上のような構成において、２群レンズ保持部材２０２は、コイル部材２１０４，２１０５への通電により光軸に対して直交する方向へ駆動可能となっており、また、ホール素子２１０９ａ，２１０９ｂによって位置検出が可能となっている。このような駆動制御は、振れ補正手段として、例えば、特開２００５−１７３４１２号公報により周知であるので、詳細な説明は省略する。
【００６９】
なお、２群レンズ保持部材２０２及びカバー部材２０５を絞り・シャッタユニット２１００への組み込む際には、図２０に示すように、フレキシブル基板２１０９が接着固定された保持部材２１１０を位置Ｘで折り返すように開いて組み込むことが可能である。
【００７０】
図２０及び図２１は、２群ユニット２０００を表側又は裏側から見た斜視図である。シャッタ駆動ユニット２１０８には、位置Ｘ付近に凸部２１０８ｂが設けられている。この凸部２１０８ｂにより、フレキシブル基板２１０９が接着固定されている保持部材２１１０を位置Ｘで折り返す際に、コイル端子２１０８ａに加わる力を低減させている。また、シャッタ駆動ユニット２１０８の外周側には、フレキシブル基板２１０９の連結部２１０９ａを押さえる押さえ部２１０８ｃが設けられている。
【００７１】
次に、本実施形態のレンズ鏡筒のズーム動作について説明する。図７はレンズ鏡筒の収納位置での断面図、図１２はレンズ鏡筒のワイド位置での断面図、図１３はレンズ鏡筒のテレ位置での断面図である。
【００７２】
不図示の駆動源によりベース部材７０１に取り付けられたギア部材７０４が回転駆動されると、該回転がギア部材７０３及び第３カム筒４０２のギア部４０２ｂへ伝達され、第３カム筒４０２が回転する。
【００７３】
このとき、第３カム筒４０２のカムフォロア４０２ａは、固定筒５００のカム溝５００ａと係合して、カム溝５００ａのカム軌跡に沿って回転しながら光軸方向へ移動する。また、第２カム筒４０１のテーパピン部４０１ｅ、凸部４０１ｈ，４０１ｉと第３カム筒４０２の凹部４０２ｅ，４０２ｆ，４０２ｇがそれぞれ係合して光軸方向の移動が規制され、互いに回転可能に結合されている。更に、第２カム筒４０１の直進キー部４０１ｈは、固定筒５００の直進溝５００ｂと係合して、第２カム筒４０１は光軸方向へ直進移動する。
【００７４】
第１カム筒３０１は、駆動ピン３０１ｂが第３カム筒４０２の直進溝４０２ｄと係合しており、第３カム筒４０２が回転すると、第１カム筒３０１も回転する。そして、第１カム筒３０１のカムフォロア３０１ａが第２カム筒４０１のカム溝４０１ａが係合しており、第１カム筒３０１は、カム溝４０１ａのカム軌跡に沿って回転しながら光軸方向へ移動する。このとき、直進筒３０２は、凸部３０２ｂと第１カム筒３０１の凹部３０１ｅとが係合して光軸方向の移動が規制されて互いに回転可能に結合された状態であり、直進キー部３０２ｃが第２カム筒４０１の直進溝４０１ｃと係合しているので光軸方向へ直進移動する。
【００７５】
１群筒１０２は、主カムフォロア１０２ａが第１カム筒３０１の主カム溝３０１ｃに係合しており、主カム溝３０１ｃのカム軌跡に沿って光軸方向へ移動する。このとき、１群筒１０２の直進凸部１０２ｃが直進筒３０２の直進凹部３０２ａと係合して回転が規制されており、光軸方向へ直進移動する。
【００７６】
次に、２群ユニット２０００のズーム動作について説明する。
【００７７】
２群ユニット２０００は、２群ベース部材２１０１のフォロア部２１０１ａ，２１０３ａが第３カム筒４０２のカム溝４０２ｃ，４０２ｄとそれぞれ係合している。また、２群ベース部材２１０１の直進ガイド部２１０１ｂ，２１０３ｂは、第２カム筒１０１の直進溝４０１ｄと係合しているので、２群ユニット２０００は、第３カム筒４０２のカム溝４０２ｃ，４０２ｄに沿って光軸方向へ直進移動する。
【００７８】
レンズ鏡筒の収納位置（図１６）では、２群ユニット２０００は、バネ部材７０２の付勢力により、フォロア部２１０１ａ，２１０３ａが第３カム筒４０２のカム溝４０２ｃ，４０２ｄの一方の面に当接された状態となっている（図１１の範囲（Ｆ）、（Ｊ））。
【００７９】
また、２群ユニット２０００の光軸と直交する方向の位置を規制するために、フォロア部２１０１ａ，２１０３ａの先端を第２カム筒４０１の直進溝有底部４０１ｈに対して若干の隙間を有して位置させている（図７）。また、２群ユニット２０００の光軸と直交する方向の位置を規制するために、２群ベース部材２１０１のガイド穴２１０１ｇとベース部材７０１のガイド軸７０１ｄを嵌合させている（図８）。
【００８０】
この状態で第３カム筒４０２が回転駆動されると、２群ユニット２０００は、収納位置から撮影位置（図１１の範囲（Ａ），（Ｂ））に移動し、収納位置（図７）から撮影位置であるワイド位置（図１２）、テレ位置（図１３）へ駆動される。
【００８１】
テレ位置では、２群ベース部材２１０１のフォロア基部２１０１ｃが第１カム筒３０１の切り欠き部３０１ｆ、直進筒３０２の切り欠き部３０２ｄに位置する（図１３）。
【００８２】
次に、図１５及び図１６を参照して、３群ユニット６００の動作について説明する。
【００８３】
３群ユニット６００は、ベース部材７０１に取り付けられる。まず、３群レンズ６０１を保持した３群レンズ保持部材６０２をベース部材７０１に置き、ガイド部材６０３を主ガイド部６０２ａに嵌合させて、ガイド固定部７０１ａに固定する。この状態で、バネ部材６０６をバネ掛け部６０２ｃ，７０１ｃに掛ける。そして、ナット部材６０５がスクリュー部６０４ａにネジ結合された状態で、スクリュー部６０４ａ先端を貫通孔６０２ｅに貫通させてステッピングモータ６０４をベース部材７０１に取り付ける。
【００８４】
このように、バネ部材６０６のバネ力によりナット部材６０５は、スクリュー部６０４ａへ付勢され、３群レンズ保持部材６０２は、繰り出し方向（図１６の矢印方向）へ付勢された状態となる。この状態から、ベース部材７０１に取り付けられた３群ユニット６００のステッピングモータ６０４に通電し、３群レンズ保持部材６０２を駆動させることで、フォーカス動作が行われる。
【００８５】
次に、絞り・シャッタユニット２１００の絞り動作について説明する。
【００８６】
ステッピングモータ２１０６に通電されると、ギア部材２１０７の回転がギア部材２１１２及びギア部２１１１ａと伝達され、カム部材２１１１は光軸中心に回転する。このとき、絞り羽根部材２１１３は、カム孔２１１３ｂのカム軌跡に沿って、軸部２１０１ｍに嵌合している穴部２１１３ａを中心に回転する。このように絞り羽根部材２１１３が回転することで、開口面積を変化させることが可能となっている（図１８）。
【００８７】
次に、絞り・シャッタユニット２１００のシャッタ動作について説明する。
【００８８】
シャッタ駆動ユニット２１０８は、マグネットと一体のアーム部２１０８ｂが通電によって発生する磁界に作用して光軸方向の軸を中心として回動する。コイル端子２１０８ａへの通電極性を反転させることによって、アーム２１０８ｂの回動方向が逆転する。このアーム２１０８ｂの回動により、シャッタ羽根２１１６，２１１７は、軸部２１０１ｎ，２１０１ｏを中心に回動し、有効光束を遮断してシャッタとして機能する（図１８）。
【００８９】
以上説明したように、本実施形態では、第１カム筒３０１の主カム溝３０１ｃと副カム溝３０１ｄを避けた位置に切り欠き部３０１ｆを設け、直進筒３０２の切り欠き部３０２ｄを切り欠き部３０１ｆと光軸方向に重なる位置に配置している。そして、テレ位置において、２群ユニット２０００の複数のフォロア基部２１０１ｃを切り欠き部３０１ｆ及び切り欠き部３０２ｄに位置させている。これにより、テレ位置での１群ユニット１００及び２群ユニット２０００の光軸方向の間隔をより狭くして、更なる高倍率化を実現することができる。
【００９０】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００９１】
１００      １群ユニット
１０１      第１レンズ群
２０１      第２レンズ群
３０１      第１カム筒
３０１ｃ    主カム溝
３０１ｄ    副カム溝
４０１      第２カム筒
４０２      第３カム筒
２０００    ２群ユニット
２１０１ｃ  フォロア基部
【図１】
0005398416.tif 000002
【図２】
0005398416.tif 000003
【図３】
0005398416.tif 000004
【図４】
0005398416.tif 000005
【図５】
0005398416.tif 000006
【図６】
0005398416.tif 000007
【図７】
0005398416.tif 000008
【図８】
0005398416.tif 000009
【図９】
0005398416.tif 000010
【図１０】
0005398416.tif 000011
【図１１】
0005398416.tif 000012
【図１２】
0005398416.tif 000013
【図１３】
0005398416.tif 000014
【図１４】
0005398416.tif 000015
【図１５】
0005398416.tif 000016
【図１６】
0005398416.tif 000017
【図１７】
0005398416.tif 000018
【図１８】
0005398416.tif 000019
【図１９】
0005398416.tif 000020
【図２０】
0005398416.tif 000021
【図２１】
0005398416.tif 000022